(57)【要約】【課題】複数のコンポーネントにより構成され、コンポーネント間で通信線を介して制御信号を送受信する医用画像診断装置については、一部のコンポーネントを通信方式の異なるコンポーネントに入れ替える場合、既設のコンポーネントの通信制御部を新たなコンポーネントの通信方式に合致するよう改造するだけでなく、通信線のケーブルの追加敷設工事が必要になることが多い。【解決手段】各コンポーネントの通信制御部と電力線１０の間に、それぞれのコンポーネントの通信方式を電力線通信方式に変換する通信コンバータ１２を付加し、電力線１０を経由して各コンポーネント間の信号の送受信を行うことにより通信線のケーブルの追加敷設工事が不要になる。【選択図】          図２
2008183141.tif 000002
【特許請求の範囲】
【請求項１】
絶縁トランスを経由して電力線によりそれぞれの電源部に電力が供給され、通信線によりそれぞれの通信制御手段が互いに制御信号を送受信しながら作動する複数のコンポーネントにより構成される医用画像診断装置の前記通信線の代わりに前記電力線を介してコンポーネント間の制御信号の送受信を行うために、各コンポーネントの前記通信制御手段と前記電力線の間に付加される、各コンポーネントの通信方式に従って制御信号の送受信を行う第一の通信制御手段と、電力線通信方式に従って制御信号の送受信を行う第二の通信制御手段と、前記第一および第二の通信制御手段の間で前記２種類の通信方式の変換を行う通信方式変換手段を備えたことを特徴とする医用画像診断装置用通信コンバータ。
【発明の詳細な説明】
【技術分野】
【０００１】
本発明は医用画像診断装置に関し、特にその内部で用いられる通信コンバータに関する。
【背景技術】
【０００２】
最近ワークステーションを介して複数の医用画像診断装置を画像通信網に接続し、ワークステーション間で画像の伝送を行う方式が考案されている（例えば特許文献１参照）が、一つの医用画像診断装置においても例えば図３に示すように、Ｘ線高電圧装置１、Ｘ線保持装置２、ベッド３、近接操作卓４、遠隔操作卓５、画像処理装置６等独立して動作するコンポーネントにより構成され、通信線１１を介して各コンポーネント間で制御情報を送受信することにより一つの装置として動作する方式の医用画像診断装置が普及してきている。
【０００３】
上述の医用画像診断装置を構成するコンポーネントであるＸ線高電圧装置１はその固有の機能を達成するために高電圧発生部１Ａ、および高電圧制御部１Ｂを有し、同様にＸ線保持装置２は保持装置機構部２Ａおよび保持装置制御部２Ｂを、ベッド３はベッド機構部３Ａおよびベッド制御部３Ｂを、近接操作卓４はパネル部４Ａ、およびパネル制御部４Ｂを、遠隔操作卓５はパネル部５Ａ、およびパネル制御部５Ｂを、画像処理装置６は画像処理部６Ａ、および画像処理制御部６Ｂを有するとともに、各コンポーネントはいずれも商用電源から絶縁トランス９を経由して電力線１０により供給される交流電力を直流に変換する直流安定化電源８、および通信線１１により結合され各コンポーネント間の通信を制御する通信制御部７を有している。なお絶縁トランス９はノイズを除去するフィルター処理機能も有しているので装置内外間のノイズの伝播が防止されている。
【特許文献１】特開平１０−９９２８２号公報
【発明の開示】
【発明が解決しようとする課題】
【０００４】
上記のような医用画像診断装置を構成するコンポーネントはその機能や性能が技術の進歩により向上し、新しいコンポーネントを用いた装置が例えば１〜２年ごとに新製品として市場に供給されるが、その際各コンポーネント間の通信方式も技術の進歩等により変更されることがある。従ってこのような装置を使用している病院において、一部のコンポーネントを故障や機能向上等の理由で通信方式の異なる新型のコンポーネントに交換する場合、既設のコンポーネントの通信方式を新型コンポーネントの通信方式に変更しなければならないだけでなく、インターフェース方式の違いから生じる信号線数の増加や、ケーブルの種類の変更等にも対応しなければならないことが多く、この場合コンポーネント間をつなぐ通信線のケーブルの追加作業が発生する。
【０００５】
そして各コンポーネントは通常それぞれの機能に対応して検査室や操作室、機械室等間仕切りされた別々の部屋に設置されており、通信線のケーブルは検査室の清潔のためや術者の動作の邪魔にならないよう、各部屋の床下に設けられたダクトや天井裏を経由して敷設されている。そのため新型コンポーネント導入に伴う新たなケーブルの追加敷設作業は床や天井の工事を伴うので、多額の工事費用と長期の工事期間が必要になり、病院にとって大きな負担となる。本発明はこの問題を解決するためのものである。
【課題を解決するための手段】
【０００６】
請求項１記載の発明は上記の目的を達成するために、絶縁トランスを経由して電力線によりそれぞれの電源部に電力が供給され、通信線によりそれぞれの通信制御手段が互いに制御信号を送受信しながら作動する複数のコンポーネントにより構成される医用画像診断装置の前記通信線の代わりに前記電力線を介してコンポーネント間の制御信号の送受信を行うために、各コンポーネントの前記通信制御手段と前記電力線の間に付加される、各コンポーネントの通信方式に従って制御信号の送受信を行う第一の通信制御手段と、電力線通信方式に従って制御信号の送受信を行う第二の通信制御手段と、前記第一および第二の通信制御手段の間で前記２種類の通信方式の変換を行う通信方式変換手段を備えた医用画像診断装置用通信コンバータを提供する。
【発明の効果】
【０００７】
医用画像診断装置を構成するコンポーネントの一部を既設のコンポーネントと通信方式の異なるコンポーネントに交換する場合、各コンポーネントと電力線の間に本発明による通信コンバータを付加することにより、電力線を経由して各コンポーネント間の信号の送受信を行うことができるようになるので、多額の工事費用と長期の工事期間を要する床や天井の工事を伴うケーブルの追加敷設作業が不要になる。
【発明を実施するための最良の形態】
【０００８】
本発明の実施例について図１〜図３を用いて説明する。ここで図１は本発明による通信コンバータ１２の構成例を示すブロック図であり、図３は複数のコンポーネントにより構成され、通信線１１を介して各コンポーネント間で制御情報を送受信することにより一つの装置として動作する方式の医用画像診断装置の構成例を示すブロック図である。図２はこのようなコンポーネントにより構成される医用画像診断装置を使用している病院において、何らかの理由で一つのコンポーネントを通信方式の異なる新たなコンポーネントと交換するとき、各コンポーネントの通信制御部１３または７と電力線１０の間に図１に示す通信コンバータ１２を付加することにより、電力線１０を介して各コンポーネント間の信号の送受信を行うことができる医用画像診断装置の構成例を示すブロック図である。
【０００９】
図３に示す医用画像診断装置はＸ線高電圧装置１、Ｘ線保持装置２、ベッド３、近接操作卓４、遠隔操作卓５、画像処理装置６等独立して動作するコンポーネントにより構成され、通信線１１を介して各コンポーネント間で制御情報を送受信することにより、全体で一つの医用画像診断装置として動作している。そしてこの装置のコンポーネントであるＸ線高電圧装置１はその固有の機能を達成するために高電圧発生部１Ａ、および高電圧制御部１Ｂを有し、同様にＸ線保持装置２は保持装置機構部２Ａおよび保持装置制御部２Ｂを、ベッド３はベッド機構部３Ａおよびベッド制御部３Ｂを、近接操作卓４はパネル部４Ａ、およびパネル制御部４Ｂを、遠隔操作卓５はパネル部５Ａ、およびパネル制御部５Ｂを、画像処理装置６は画像処理部６Ａ、および画像処理制御部６Ｂを有するとともに、各コンポーネントはいずれも商用電源から絶縁トランス９を経由して電力線１０により供給される交流電力を直流に変換する直流安定化電源８、および通信線１１により結合され各コンポーネント間の通信を制御する通信制御部７を有している。なお絶縁トランス９はノイズを除去するフィルター処理機能も有しているので装置内外間のノイズの伝播が防止されている。
【００１０】
図３に示すような医用画像診断装置を使用している病院において、コンポーネントの一つであるＸ線高電圧装置１を故障等の理由で新機能が追加された新型のＸ線高電圧装置２１に交換するとき、Ｘ線高電圧装置２１の通信制御部１３による通信方式がＸ線高電圧装置１の通信制御部７による通信方式と異なる場合、Ｘ線高電圧装置１以外のすべての既設のコンポーネントについて、Ｘ線高電圧装置２１の通信方式に変更する処置を施す必要があるだけでなく、ほとんどの場合インターフェース方式の違いから生じる信号線数の増加やケーブルの種類の変更等への対応のため、コンポーネント間をつなぐ通信線１１のケーブルを追加敷設する作業が発生する。
【００１１】
図１はこのような場合に使用する通信コンバータの構成例を示す図であり、例えばマイクロコンピュータ等により構成されるコンバータ制御部１２Ｃは、自身が付加されるコンポーネントに対してコンポーネント通信制御部１２Ｄおよびコンポーネント通信インターフェース部１２Ｅを経由して、例えばＲＳ−２３２Ｃ方式やＣＡＮ等のシリアルバス方式、ＡＲＣＮＥＴ等のパケット通信方式等、コンポーネントが有する通信方式に従って制御信号の送受信を行い、装置内の他のコンポーネントに対しては電力線通信制御部１２Ｂ、電力線モデム１２Ａ、電力線通信インターフェース部１２Ｆおよび電力線１０を介して電力線通信方式による制御信号の送受信を行う機能を有するとともに、両通信方式の変換を行う機能を有している。なおコンポーネント通信制御部１２Ｄおよび電力線通信制御部１２Ｂはそれぞれの通信方式に従って送受信の手順を制御する制御部であり、コンポーネント通信インターフェース部１２Ｅおよび電力線通信インターフェース部１２Ｆはそれぞれ通信線１１および電力線１０に合致した物理的な信号形態に変換するためのインターフェース部であり、電力線モデム１２Ａは商用電源から絶縁トランス９を経由して供給される交流電圧に電力線通信用信号を重畳するために送信信号に対応して搬送波を変調するとともに、他のコンポーネントから交流電圧に重畳して出力される電力線通信用信号を復調して受信信号を取り出す変復調器である。
【００１２】
図２に示すようにコンポーネントの一つであるＸ線高電圧装置１を故障等の理由で新機能が追加された新型のＸ線高電圧装置２１に交換する場合、Ｘ線高電圧装置２１の通信制御部１３がＸ線高電圧装置１の通信制御部７と異なる方式で通信制御を行っていても、各コンポーネントの通信制御部１３または７と電力線１０の間に図１に示す通信コンバータ１２を付加することにより、各コンポーネントが有する通信方式が電力線通信方式に変換され、電力線１０を介して各コンポーネント間の信号の送受信を行うことができるので、新型コンポーネントの通信方式に合致するように既設のコンポーネントを改造したり、インターフェース方式の違いによる信号線数の増加やケーブルの種類の変更等への対応のためコンポーネント間をつなぐ通信線１１のケーブルの追加作業を行う必要がなくなる。
【００１３】
なお通信コンバータ１２の構成例を示す図１において、コンポーネント通信制御部１２Ｄおよびコンポーネント通信インターフェース部１２Ｅは一つの通信方式に対応する一組のみの構成としたが、それぞれ異なる通信方式に対応する複数組を設け、各組のコンポーネント通信制御部１２Ｄとコンバータ制御部１２Ｃの間に切り替えスイッチを設けて必要な通信方式の組を選択できるようにしてもよい。
【００１４】
また新たに導入されるコンポーネントの通信制御部１３の通信方式が電力線通信方式である場合、このコンポーネントには通信コンバータ１２を付加する必要はない。
【産業上の利用可能性】
【００１５】
本発明は医用画像診断装置に関し、特にその内部で用いられる通信コンバータに関する。
【図面の簡単な説明】
【００１６】
【図１】本発明の通信コンバータの構成例を示すブロック図である。
【図２】本発明の通信コンバータを用いてコンポーネント間で電力線通信を行う医用画像診断装置の構成例を示すブロック図である。
【図３】複数のコンポーネントにより構成された従来の医用画像診断装置の構成例を示すブロック図である。
【符号の説明】
【００１７】
１：Ｘ線高電圧装置
１Ａ：高電圧発生部
１Ｂ：高電圧制御部
２：Ｘ線保持装置
２Ａ：保持装置機構部
２Ｂ：保持装置制御部
３：ベッド
３Ａ：ベッド機構部
３Ｂ：ベッド制御部
４：近接操作卓
４Ａ：パネル部
４Ｂ：パネル制御部
５：遠隔操作卓
５Ａ：パネル部
５Ｂ：パネル制御部
６：画像処理装置
６Ａ：画像処理部
６Ｂ：画像処理制御部
７：通信制御部
８：直流安定化電源
９：絶縁トランス
１０：電力線
１１：通信線
１２：通信コンバータ
１２Ａ：電力線モデム
１２Ｂ：電力線通信制御部
１２Ｃ：コンバータ制御部
１２Ｄ：コンポーネント通信制御部
１２Ｅ：コンポーネント通信インターフェース部
１２Ｆ：電力線通信インターフェース部
１３：通信制御部
２１：Ｘ線高電圧装置
【図１】
2008183141.tif 000003
【図２】
2008183141.tif 000004
【図３】
2008183141.tif 000005